(57)【要約】【課題】複数の色を表示することで、豊富な演出が可能な発光装置を提供することが可能となる。【解決手段】導光板３０に第一溝部３２及び第二溝部３４を設けることで、光源部５０から光が照射された際、第一溝部３２及び第二溝部３４によって、第一溝部３２又は第二溝部３４を越えて光が通過する可能性が低減されるため、第一溝部３２及び第二溝部３４の上方又は下方で異なる色の光を光源部５０から出射した場合に、色が混ざる可能性を未然に低減し、優れた演出を表示することができる。このとき、制御ユニット６０によって上方点灯状態、下方点灯状態、中央点灯状態の３つの状態で光らせることができる。【選択図】図１
2016031392.tif 000002
【特許請求の範囲】
【請求項１】
側面側から入射した光を少なくとも一方主面方向に出射する拡散部を有する導光板と、
前記導光板の少なくとも一方側面側に設けられ、特定の色の光を出射する複数の光源と、
前記光源を制御する制御手段と、
を備え、
前記導光板は、一方側面側から他方側面側に連続又は非連続で設けられた溝部を複数有し、
前記制御手段は、最も上方に位置する前記溝部よりも上方に位置する前記光源を点灯する上方点灯状態と、最も下方に位置する前記溝部よりも下方に位置する前記光源を点灯する下方点灯状態と、に複数の前記光源を制御することを特徴とする、
発光装置。
【請求項２】
側面側から入射した光を少なくとも一方主面方向に出射する拡散部を有する導光板と、
前記導光板の少なくとも一方側面側に設けられ、所定の色の光を出射する複数の光源と、
前記光源を制御する制御手段と、
を備え、
前記導光板は、一方側面側から他方側面側に連続又は非連続で直線状に設けられた第一溝部と、前記第一溝部より下方側に位置し、一方側面側から他方側面側に連続又は非連続で直線状に設けられた第二溝部と、を有し、
前記制御手段は、前記第二溝部よりも上方に位置する前記光源を点灯し、前記第二溝部よりも下方に位置する前記光源を消灯する上方点灯状態と、前記第一溝部よりも下方に位置する前記光源を点灯し、前記第一溝部よりも上方に位置する前記光源を消灯する下方点灯状態と、に前記光源を制御することを特徴とする、
発光装置。
【請求項３】
前記制御手段は、前記上方点灯状態と、前記下方点灯状態と、に加え、前記第一溝部よりも下方側であって、前記第二溝部よりも上方側に配置された前記光源を点灯し、前記第一溝部より上方側及び前記第二溝部よりも下方側に配置された前記光源を消灯する中央点灯状態と、に前記光源の状態を制御することを特徴とする、
請求項２に記載の発光装置。
【請求項４】
側面側から入射した光を少なくとも一方主面方向に出射する拡散部を有する導光板と、
前記導光板の一方側面側に設けられ、所定の色の光を出射する第一光源と、
前記導光板の他方側面側に設けられ、所定の色の光を出射する第二光源と、
前記第一光源及び前記第二光源の点灯及び消灯を制御する制御手段と、
を備え、
前記導光板は、一方側面側から他方側面側に連続又は非連続で直線状に設けられた第一溝部と、前記第一溝部より下方側に位置し、一方側面側から他方側面側に連続又は非連続で直線状に設けられた第二溝部と、を有し、
前記第一光源は、前記第二溝部よりも上方側に配置され、
前記第二光源は、前記第一溝部よりも下方側に配置され、
前記制御手段は、前記第一光源を点灯すると共に前記第二光源を消灯する上方点灯状態と、前記第二光源を点灯すると共に前記第一光源を消灯する下方点灯状態と、に前記第一光源及び前記第二光源の点灯及び消灯を制御することを特徴とする、
発光装置。
【請求項５】
前記制御手段は、前記上方点灯状態と、前記下方点灯状態と、に加え、前記第一溝部よりも下方側に設けられた第一光源及び前記第二溝部よりも上方側に設けられた第二光源を点灯し、前記第一溝部よりも上方に設けられた第一光源及び前記第二溝部よりも下方側に設けられた第二光源を消灯する中央点灯状態と、に前記第一光源及び前記第二光源の点灯及び消灯を制御することを特徴とする、
請求項４に記載の発光装置。
【請求項６】
側面側から入射した光を少なくとも一方主面方向に出射する拡散部を有する導光板と、
前記導光板の少なくとも一方側面側に設けられ、所定の色の光を出射する第一光源と、
前記導光板の少なくとも一方側面側に設けられ、前記第一光源とは異なる色の光を出射する第二光源と、
前記導光板の少なくとも一方側面側に設けられ、出射する光の色を変更可能な第三光源と、
前記第一光源及び前記第二光源の点灯及び消灯と、前記第三光源から出射する光の色と、を制御する制御手段と、
を備え、
前記導光板は、一方側面側から他方側面側に連続又は非連続で直線状に設けられた第一溝部と、前記第一溝部より下方側に位置し、一方側面側から他方側面側に連続又は非連続で直線状に設けられた第二溝部と、を有し、
前記第一光源は、前記第一溝部よりも上方側に配置され、
前記第二光源は、前記第二溝部よりも下方側に配置され、
前記第三光源は、前記第一溝部より下方側であって、前記第二溝部よりも上方側に配置され、
前記制御手段は、前記第一光源を点灯すると共に前記第二光源を消灯し、前記第三光源から前記第一光源と同一の色の光を出射する上方点灯状態と、前記第二光源を点灯すると共に前記第一光源を消灯し、前記第三光源から前記第二光源と同一の色の光を出射する下方点灯状態と、に前記第一光源及び前記第二光源の点灯及び消灯並びに前記第三光源から出射する光の色を制御することを特徴とする、
発光装置。
【請求項７】
前記制御手段は、前記上方点灯状態と、前記下方点灯状態と、に加え、前記第一光源及び前記第二光源を消灯すると共に、前記第三光源から出射する光の色を前記第一光源から出射する光の色及び前記第二光源から出射する光の色のいずれの色とも異なる色に制御することを特徴とする、
請求項６に記載の発光装置。
【請求項８】
前記拡散部は、前記導光板の他方主面側を粗面に加工した部分であることを特徴とする、
請求項１から７のいずれか１項に記載の発光装置。
【請求項９】
前記拡散部は、輪郭溝によって囲まれていることを特徴とする、
請求項１から８のいずれか１項に記載の発光装置。
【請求項１０】
前記拡散部は、複数の拡散ドットが外周位置に設けられていることを特徴とする、
請求項１から９のいずれか１項に記載の発光装置。
【請求項１１】
前記第一溝部及び第二溝部は、前記導光板を一方主面側から他方主面側まで貫通する切り込みであることを特徴とする、
請求項１から１０のいずれか１項に記載の発光装置。
【請求項１２】
請求項１から１１のいずれか１項に記載の発光装置において、
前記導光板の他方主面側に設けられたハーフミラーと、を備えることを特徴とする、
発光装置。
【請求項１３】
請求項１から１２のいずれか１項に記載の発光装置を備えた矢印表示装置において、
前記拡散部は、上、下又は上下のいずれかを示す矢印形であることを特徴とする、
矢印表示装置。
【発明の詳細な説明】
【技術分野】
【０００１】
本発明は、発光装置及び矢印表示装置に関する。
【背景技術】
【０００２】
従来から、光輝描画部を有する透明体を使用した複数色の表示装置において、より少ない透明体でより多くの色を表現するとともに複数枚の透明体を使用することによる表示の奥行きの不自然さを解消する表示装置が知られている。例えば、特許文献１では、光輝描画部を有する透明体にスリットを設けることにより、複数色の光源から照光される色の混色を防ぎ、片側表面に設けた光輝描画部とスリットと複数色の光源を持つ透明体２枚の描画部同士を重ね合わせることにより、同一平面上で複数色を表現し、描画部の奥行の違いから生じる違和感のない表示を可能にしている。
【先行技術文献】
【特許文献】
【０００３】
【特許文献１】実用新案登録第３１２４７５３号公報
【発明の概要】
【発明が解決しようとする課題】
【０００４】
しかしながら、こうした表示装置では、一つの光輝描画部全体を表現することができても、一部のみを光らせたり、描画部を複数の色で光らせたりすることはできず、描画部の表現の自由度が制限されると言う課題がある。このため、豊富な表現が可能な表示装置が熱望されている。
【０００５】
本発明は、このような課題に鑑みなされたものであり、豊富な演出が可能な発光装置を提供することを主目的とする。
【課題を解決するための手段】
【０００６】
本発明は、上述の主目的の少なくとも１つを達成するために以下の手段を採った。
【０００７】
本発明の発光装置は、
側面側から入射した光を少なくとも一方主面方向に出射する拡散部を有する導光板と、
前記導光板の少なくとも一方側面側に設けられ、特定の色の光を出射する複数の光源と、
前記光源を制御する制御手段と、
を備え、
前記導光板は、一方側面側から他方側面側に連続又は非連続で設けられた溝部を複数有し、
前記制御手段は、最も上方に位置する前記溝部よりも上方に位置する前記光源を点灯する上方点灯状態と、最も下方に位置する前記溝部よりも下方に位置する前記光源を点灯する下方点灯状態と、に複数の前記光源を制御することを特徴とする、
ものである。
【０００８】
この発光装置では、光源が設けられた一方側面側から他方側面側に複数の溝部が設けられているため、光源から照射された光が拡散部で拡散される際、それぞれの溝部を越えた位置に進む可能性を未然に低減することができる。こうすることにより、最も上方に位置する溝部よりも上方に位置する光源を点灯し、拡散部の最も上方に位置する溝部よりも上方のみを光らせる上方点灯状態と、最も下方に位置する溝部よりも下方に位置する光源を点灯し、拡散部の最も下方に位置する溝部よりも下方のみを光らせる下方点灯状態と、に光源を制御することができる。このように、拡散部の上方又は下方のみを光らせることができるため、例えば、拡散部の形状を上下方向を指し示す矢印形状にした場合には、上方と下方とのそれぞれを指し示すことができる。また、例えば、上方点灯状態と下方点灯状態とで光源から出射される光の色を変えた場合には、拡散部の光る位置及び形状に加え、色でも違いを表現することができる。ここで、上方点灯状態とは、最も上方に位置する溝部より上方に位置する光源を点灯し、他の光源を消灯することで拡散部を上向矢印の形状で点灯した状態であり、下方点灯状態とは、最も下方に位置する溝部よりも下方に位置する光源を点灯し、他の光源を消灯することで拡散部を下向矢印の形状で点灯した状態である。なお、溝部は２つ以上であればよく、３つであっても、４つ以上であっても良い。
【０００９】
本発明の発光装置は、
側面側から入射した光を少なくとも一方主面方向に出射する拡散部を有する導光板と、
前記導光板の少なくとも一方側面側に設けられ、所定の色の光を出射する光源と、
前記光源を制御する制御手段と、
を備え、
前記導光板は、一方側面側から他方側面側に連続又は非連続で直線状に設けられた第一溝部と、前記第一溝部より下方側に位置し、一方側面側から他方側面側に連続又は非連続で直線状に設けられた第二溝部と、を有し、
前記制御手段は、前記第二溝部よりも上方に位置する前記光源を点灯し、前記第二溝部よりも下方に位置する前記光源を消灯する上方点灯状態と、前記第一溝部よりも下方に位置する前記光源を点灯し、前記第一溝部よりも上方に位置する前記光源を消灯する下方点灯状態と、に前記光源を制御することを特徴とする、
ものである。
【００１０】
この発光装置では、光源が設けられた一方側面側から他方側面側に第一溝部及び第二溝部が設けられているため、光源から照射された光が拡散部で拡散される際、第一溝部又は第二溝部を超えた位置に進む可能性を未然に低減することができる。このため、例えば、第二溝部よりも上方に位置する光源を点灯した際に、拡散部の第二溝部よりも下方側で光が拡散される可能性を未然に低減することができる。こうすることにより、拡散部の第二溝部よりも上方を光らせる上方点灯状態と、拡散部の第一溝部よりも下方を所定の色で光らせる下方点灯状態と、に前記光源の状態を制御することで、拡散部の上方側又は下方側を光らせることができる。また、例えば、上方点灯状態と下方点灯状態とで光源から出射される光の色を変えた場合には、拡散部の光る位置及び形状に加え、色でも違いを表現することができる。ここで、上方点灯状態とは、第二溝部よりも上方に位置する光源を所定の色で点灯し、第二溝部よりも下方に位置する光源を消灯することで拡散部を上向矢印の形状で点灯した状態であり、下方点灯状態とは、第一溝部よりも下方に位置する光源を所定の色で点灯し、第一溝部よりも上方に位置する光源を消灯することで拡散部を下向矢印の形状で点灯した状態である。
【００１１】
この態様を採用した本発明の発光装置において、前記制御手段は、前記上方点灯状態と、前記下方点灯状態と、に加え、前記第一溝部よりも下方側であって、前記第二溝部よりも上方側に配置された前記光源を点灯し、前記第一溝部より上方側及び前記第二溝部よりも下方側に配置された前記光源を消灯する中央点灯状態と、に前記光源の状態を制御することを特徴としてもよい。こうすれば、上方点灯状態、下方点灯状態に加え、中央点灯状態の３種類の状態光らせることができるため、豊かな演出が可能となる。
【００１２】
本発明の発光装置は、
側面側から入射した光を少なくとも一方主面方向に出射する拡散部を有する導光板と、  
前記導光板の一方側面側に設けられ、所定の色の光を出射する第一光源と、
前記導光板の他方側面側に設けられ、所定の色の光を出射する第二光源と、
前記第一光源及び前記第二光源の点灯及び消灯を制御する制御手段と、
を備え、
前記導光板は、一方側面側から他方側面側に連続又は非連続で直線状に設けられた第一溝部と、前記第一溝部より下方側に位置し、一方側面側から他方側面側に連続又は非連続で直線状に設けられた第二溝部と、を有し、
前記第一光源は、前記第二溝部よりも上方側に配置され、
前記第二光源は、前記第一溝部よりも下方側に配置され、
前記制御手段は、前記第一光源を点灯すると共に前記第二光源を消灯する上方点灯状態と、前記第二光源を点灯すると共に前記第一光源を消灯する下方点灯状態と、に前記第一光源及び前記第二光源の点灯及び消灯を制御することを特徴とする、
ものであってもよい。
【００１３】
この発光装置では、一方側面側から他方側面側に第一溝部及び第二溝部が設けられているため、第一光源又は第二光源から出射された光が拡散部で拡散される際、第一溝部又は第二溝部を超えた位置に進む可能性を未然に低減することができる。このため、例えば、第一光源を点灯し第二光源を消灯した場合には、拡散部の第一溝部よりも上方側で所定の色の光が拡散される可能性を未然に低減することができる。こうすることにより、第二光源を点灯し第一光源を消灯し、拡散部の第二溝部よりも上方側を所定の色で光らせる上方点灯状態と、第一光源を点灯し第二光源を消灯し、拡散部の第一溝部よりも下方側を所定の色で光らせる下方点灯状態と、に前記光源の状態を制御することで、豊かな演出が可能となる。
【００１４】
この態様を採用した本発明の発光装置において、前記制御手段は、前記上方点灯状態と、前記下方点灯状態と、に加え、前記第一溝部よりも下方側に設けられた第一光源及び前記第二溝部よりも上方側に設けられた第二光源を点灯し、前記第一溝部よりも上方に設けられた第一光源及び前記第二溝部よりも下方側に設けられた第二光源を消灯する中央点灯状態と、に前記第一光源及び前記第二光源の点灯及び消灯を制御することを特徴としてもよい。こうすれば、上方点灯状態、下方点灯状態に加え、中央点灯状態の３種類の状態で光らせることができるため、豊かな演出が可能となる。
【００１５】
本発明の発光装置は、
側面側から入射した光を少なくとも一方主面方向に出射する拡散部を有する導光板と、
前記導光板の少なくとも一方側面側に設けられ、所定の色の光を出射する第一光源と、
前記導光板の少なくとも一方側面側に設けられ、前記第一光源とは異なる色の光を出射する第二光源と、
前記導光板の少なくとも一方側面側に設けられ、出射する光の色を変更可能な第三光源と、
前記第一光源及び前記第二光源の点灯及び消灯と、前記第三光源から出射する光の色と、を制御する制御手段と、
を備え、
前記導光板は、一方側面側から他方側面側に連続又は非連続で直線状に設けられた第一溝部と、前記第一溝部より下方側に位置し、一方側面側から他方側面側に連続又は非連続で直線状に設けられた第二溝部と、を有し、
前記第一光源は、前記第一溝部よりも上方側に配置され、
前記第二光源は、前記第二溝部よりも下方側に配置され、
前記第三光源は、前記第一溝部より下方側であって、前記第二溝部よりも上方側に配置され、
前記制御手段は、前記第一光源を点灯すると共に前記第二光源を消灯し、前記第三光源から前記第一光源と同一の色の光を出射する上方点灯状態と、前記第二光源を点灯すると共に前記第一光源を消灯し、前記第三光源から前記第二光源と同一の色の光を出射する下方点灯状態と、に前記第一光源及び前記第二光源の点灯及び消灯並びに前記第三光源から出射する光の色を制御することを特徴とする、
ものである。
【００１６】
この発光装置では、第一光源、第二光源及び第三光源が設けられた一方側面側から他方側面側に第一溝部及び第二溝部が設けられているため、第一光源、第二光源及び第三光源から照射された光が拡散部で拡散される際、第一溝部又は第二溝部を超えた位置に進む可能性を未然に低減することができる。このため、例えば、第一光源を所定の色で点灯した場合には、拡散部の第一溝部よりも下方側で所定の色の光が拡散される可能性を未然に低減することができる。このとき、第一光源と第二光源との間に配置される第三光源を第一光源及び第二光源と同様の色で発光可能な光源とし、第一光源と第三光源とを同一の色で点灯し第二光源を消灯する上方点灯状態と、第二光源と第三光源とを同一の色で点灯し第一光源を消灯する下方点灯状態と、に前記光源の状態を制御することで、豊かな演出が可能となる。
【００１７】
この態様を採用した本発明の発光装置において、前記制御手段は、前記上方点灯状態と、前記下方点灯状態と、に加え、前記第一溝部よりも下方側に設けられた第一光源及び前記第二溝部よりも上方側に設けられた第二光源を点灯し、前記第一溝部よりも上方に設けられた第一光源及び前記第二溝部よりも下方側に設けられた第二光源を消灯する中央点灯状態と、に前記第一光源及び前記第二光源の点灯及び消灯を制御することを特徴としてもよい。こうすれば、上方点灯状態、下方点灯状態に加え、中央点灯状態の３種類の状態光らせることができるため、豊かな演出が可能となる。
【００１８】
本発明の発光装置において、前記拡散部は、前記導光板の他方主面側を粗面に加工した部分であることを特徴としてもよい。こうすることにより、導光板の一方主面側に光を出射することができるため、一方主面側に対して、明るく豊かな演出が可能となる。
【００１９】
本発明の発光装置において、前記拡散部は、輪郭溝によって囲まれていることを特徴としてもよい。こうすることにより、拡散部の輪郭溝に沿って光が拡散されることになるので、輪郭溝を有しない場合と比較して、より拡散部の輪郭を明確にすることができる。
【００２０】
本発明の発光装置において、前記拡散部は、複数の拡散ドットが外周位置に設けられていることを特徴としてもよい。こうすれば、拡散ドットによって拡散部の外周位置で光が拡散されることになるため、拡散ドットを有しない場合と比較して、より拡散部の外周位置を明確にすることができる。
【００２１】
本発明の発光装置において、前記第一溝部及び第二溝部は、前記導光板を一方主面側から他方主面側まで貫通する切り込みであることを特徴としてもよい。こうすれば、第一溝部及び第二溝部を超えて光が進む可能性をより低減することができる。
【００２２】
本発明の発光装置において、上述したいずれかの発光装置において、前記導光板の他方主面側に設けられたハーフミラーと、を備えることを特徴としてもよい。こうすれば、他方主面側に出射した光がハーフミラーによって再び反射され、一方主面側に出射することになるため、導光板の一方主面側をより明るくすることができる。
【００２３】
本発明の矢印表示装置は、上述したいずれかの発光装置を備え、前記拡散部は、上、下又は上下のいずれかを示す矢印形であることを特徴とするものである。
【００２４】
この矢印表示装置は、上述したいずれかの発光装置を備えたものであるから、上述した発光装置と同様の効果、例えば、豊かな演出を行うことができる。このとき、拡散部が上、下又は上下のいずれかを示す矢印形であるため、上方点灯状態では上を、下方点灯状態では下を、それぞれ拡散部で示すことができる。
【図面の簡単な説明】
【００２５】
【図１】図１は、発光装置２０の構成の概略を示す分解斜視図である。
【図２】図２は、発光装置２０のＡ−Ａ断面を示す断面図及びＢ部拡大断面図である。
【図３】図３は、制御ユニット６０の電気的な接続を示すブロック図である。
【図４】図４は、発光色制御処理ルーチンの一例を示すフローチャートである。
【図５】図５は、発光装置１２０の構成の概略を示す分解斜視図である。
【図６】図６は、ＬＥＤ制御処理ルーチンの一例を示すフローチャートである。
【図７】図７は、発光装置２２０の構成の概略を示す分解斜視図である。
【図８】図８は、点灯制御処理ルーチンの一例を示すフローチャートである。
【図９】図９は、他の実施の形態の導光板３０の構成の概略を示す斜視図である。
【図１０】図１０は、他の実施の形態の拡散ドット４２の構成の概略を示す斜視図である。
【発明を実施するための形態】
【００２６】
次に、本発明の実施の形態の一例として、発光装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、発光色制御処理ルーチンの一例を説明することに、本発明の発光装置２０の制御方法の一例も明らかにする。
【００２７】
発光装置２０は、図１に示すように、少なくとも一方主面方向（図１中表面側方向）に光を出射する拡散部４０及び一方側面側（図１中左側）から他方側面側（図１中右側）に設けられた第一溝部３２及び第一溝部３２を備えた導光板３０と、導光板３０の一方側面側に設けられた光源部５０と、光源部５０からの光の照射を制御する制御ユニット６０（図３参照）と、を主に備えている。この発光装置２０では、拡散部４０から照射された光が拡散部４０によって少なくとも一方主面方向に拡散されることで、拡散部４０から光が拡散される。このとき、第一溝部３２又は第二溝部３４よりも上側又は下側で異なる色の光を照射するように制御ユニット６０で制御することで、第一溝部３２又は第二溝部３４よりも上側又は下側で拡散部４０によって拡散される光が異なるため、拡散部４０を複数の色で表現することができ、優れた演出を行うことができる。
【００２８】
導光板３０は、厚さが約４ｍｍから約８ｍｍであり、略四角形形状の板状に形成された透過性を有するメタクリル樹脂製の板である。この導光板３０の他方主面側（図１中裏面側）には、上下方向を示す矢印形状の拡散部４０が設けられており、一方側面側から他方側面側には、第一溝部３２及び第二溝部３４が設けられている。この第一溝部３２及び第二溝部３４は、一方主面側から他方主面側まで貫通するように設けられた貫通溝であり、図１に示すように、拡散部４０を含む領域に非連続であって、一直線上に設けられている。具体的には、図１に示すように、拡散部４０の境界領域付近及び両側部付近を除く位置であって、後述する拡散ドット４２及び輪郭溝４４と重ならない位置に貫通溝が設けられている。こうすることにより、光源部５０から照射された光が第一溝部３２及び第二溝部３４を越える可能性を減少させることができるため、第一溝部３２又は第二溝部３４の上方側と下方側とで異なる色の光を照射した場合であっても、色が混ざる可能性を未然に低減することができ、拡散部４０を複数の色で発色させることができる。
【００２９】
また、導光板３０の裏面側には、導光板３０の裏面側に密着した状態でハーフミラー３６が設けられている。このため、拡散部４０で他方主面側に拡散された光は、ハーフミラー３６によって再度反射されて一方主面側に出射することになり、ハーフミラー３６を有しない場合と比較して、より一方主面側を明るくすることができる。このとき、導光板３０の裏面側とハーフミラー３６との間隔は、映り込みを未然に防止すると共に十分な明るさを確保するためにも、密着しているか又は２ｍｍ以下の間隔であることが好ましい。
【００３０】
第一溝部３２及び第二溝部３４は、レーザー加工によって０．３ｍｍの幅となるように形成された貫通溝であり、導光板３０の一方側面側から他方側面側まで非連続に設けられている。このように第一溝部３２及び第二溝部３４を非連続に形成することにより、導光板３０の一部が分離しないため、例えば、導光板３０を湾曲させる場合等であっても、導光板３０の全体を一体として湾曲させることができ、優れた美観を演出することができる。このとき、第一溝部３２及び第二溝部３４は、導光板３０の強度を十分に保つために、それぞれ５ｍｍ以上１０ｍｍ以下の間隔であることが好ましい。また、第一溝部３２及び第二溝部３４の幅は、０．１ｍｍ以上０．５ｍｍ以下であることが好ましい。幅を０．１ｍｍ以上設けた場合には、光が第一溝部３２又は第二溝部３４を透過する可能性を十分低減できるため好ましく、幅が０．５ｍｍ以下の場合には、第一溝部３２又は第二溝部３４によって拡散部４０の美観が著しく損なわれないため好ましい。
【００３１】
また、第一溝部３２又は第二溝部３４をレーザー加工により形成されているため、加工面が鏡面となり、例えば、第一溝部３２の上方向から第一溝部３２に向かった光は、一部が加工面である鏡面で反射されることになるため、光が第一溝部３２の下方に通過する可能性を未然に低減することができる。加えて、第一溝部３２及び第二溝部３４は０．３ｍｍの幅となるように形成された貫通孔であるため、０．３ｍｍの空気層を有することになり、光が通過する可能性をより低減することができる。
【００３２】
拡散部４０は、導光板３０の中央部であって、他方主面側に設けられた凹部であり、上下方向を示す矢印形状に形成されている。この拡散部４０は、凹部の底側に粗面加工が施されており、図２に示すように、凹部の外縁部には複数の拡散ドット４２が、拡散部４０の外周を囲う位置には輪郭溝４４が、それぞれ設けられている。こうすることにより、光源部５０から導光板３０に入射した光は、凹部である拡散部４０で拡散され、一方主面側に光が出射する。このとき、拡散部４０の外周には複数の拡散ドット４２が設けられているため、拡散部４０の外周が特に明るく表示される。こうすることにより、拡散ドット４２を有しない場合と比較して、より拡散部４０の形状を明確にすることができる。加えて、拡散ドット４２の外側が更に輪郭溝４４によって囲われており、光源部５０から照射された光は必ず輪郭溝４４によって拡散されることから、輪郭溝４４を有しない場合と比較して、拡散部４０の輪郭をより明確にすることができる。更に付言すると、拡散部４０の形状をより明確にすることができため、例えば、拡散部４０を上下方向を示す矢印の形状に形成した場合には、上方向を示す部分にのみ光を照射することで上向きを、下方向を示す部分にのみ光を照射することで下向きを、それぞれ表示することができる。
【００３３】
拡散ドット４２は、図１０Ａに示すように、略四角錐形状に凹む凹部であり、拡散部４０の外周に沿ってそれぞれ２列に配置されている。この拡散ドット４２は、四角錐の底面に相当する位置が導光板３０の他方主面側に位置するように設けられており、各辺の長さは、０．６ｍｍ以上１．５ｍｍ以下に設けられ、拡散ドット４２の深さは、０．４ｍｍ以上０．８ｍｍ以下に設けられている。また、拡散ドット４２は、拡散部４０の光源部５０に近い側に設けられる拡散ドット４２を浅く形成したり、小さく形成したりしてもよいし、光源部５０に近づくにつれ、拡散ドット４２をより浅く形成したり、より小さく形成したりしてもよい。こうすれば、光源部５０から出射した光が拡散部４０内に到達しやすくなるため、拡散部４０全体を明るく、均一に光らせることができる。なお、図１及び図２中においては、説明の都合上、実際よりも、それぞれの大きさが大きく記載している。
【００３４】
輪郭溝４４は、レーザー加工等によって加工された溝であり、図２に示すように、拡散部４０の凹部及び拡散ドット４２よりも更に深く形成されている。このため、輪郭溝４４で拡散される光は拡散部４０で拡散される光よりも相対的に強くなり、拡散部４０の輪郭をより明確にすることができる。
【００３５】
光源部５０は、図１に示すように、基板５２と、この基板５２に所定の間隔で実装された複数の表面実装型の平面発光型ＬＥＤ５４（以下、「ＬＥＤ５４」と言う。）と、断面が略Ｕ字形状のＣ型鋼５６からなり、Ｃ型鋼５６の凹部の底面に基板５２が両面テープ等で貼着されている。このため、ＬＥＤ５４が使用により発熱した場合であっても、基板５２を介してＣ型鋼５６に熱が伝わり、高温による誤作動や破損の可能性を未然に低減することができる。また、Ｃ型鋼５６の凹部の幅は導光板３０の厚さと略同一又は、やや広く形成されているため、Ｃ型鋼５６の凹部に導光板３０の側面を嵌め込むことにより、容易に光源部５０を導光板３０に対して所望の位置に取り付けることができる。また、このＬＥＤ５４は、流れる電流量によって出射する光の色の変更が可能であり、それぞれのＬＥＤ５４から出射する光の色は、制御ユニット６０によって制御される。
【００３６】
制御ユニット６０は、図３に示すように、ＣＰＵ６１を中心とするマイクロコンピュータであり、後述する発光色制御処理ルーチン、ＬＥＤ制御処理ルーチン及び点灯制御処理ルーチン等の各種制御プラグラムを記憶するＲＯＭ６２と、外部からの入力信号を一時的に記憶するＲＡＭ６４と、図示しない上部点灯信号や下部点灯信号、リセット信号等を発信する信号発信デバイス等の各種デバイスとの通信を制御するインタフェース６６（以下、「Ｉ／Ｆ６６」と言う。）と、によって構成されており、バス６８によりそれぞれが電気的に接続されている。この制御ユニット６０により、予め記憶された発光色制御処理ルーチンに従ってＬＥＤ５４から出射される光の色を制御することができる。こうすることにより、例えば、拡散部４０を上下矢印の形状に形成した場合には、上方向を示す部分にのみ光を照射することで上向きを、下方向を示す部分にのみ光を照射することで下向きを、それぞれ表示することができる。なお、この制御ユニットは、同様の制御が可能なＩＣチップ等で構成され、基板５２に備えられていても良いし、外部に設けられていてもよい。
【００３７】
次に、この発光装置２０において、光源部５０の発光制御する発光色制御処理について、図４を用いて詳しく説明する。ここで図４は、発光色制御処理ルーチンの一例を示すフローチャートである。この発光色制御処理ルーチンは、制御ユニット６０（図３参照）に電力が供給されると、ＣＰＵ６１によってＲＯＭ６２より読み出され、繰り返し実行される。
【００３８】
この発光色制御処理ルーチンが実行されると、ＣＰＵ６１は、図示しない発信デバイスから発信された上部点灯信号を受信しているか否かを判定し（ステップＳ１１０）、上部点灯信号を受信したと判定した場合には、複数のＬＥＤ５４のうち、第一溝部３２よりも上方に設けられたＬＥＤ５４（以下、「上部ＬＥＤ５４ａ」という）に所定量の電流を流すことで赤色に点灯し（ステップＳ１２０）、複数のＬＥＤ５４のうち、第一溝部３２より下方であって、第二溝部３４より上方に設けられたＬＥＤ５４（以下、「中央部ＬＥＤ５４ｂ」という。）に所定量の電流を流すことで赤色に点灯する（ステップＳ１３０）。こうすることにより、拡散部４０の第二溝部３４より上方側を赤色に点灯することができる。言い換えると、拡散部４０によって上方向を赤色で表示することができる。
【００３９】
続いて、ＣＰＵ６１は、図示しない発信デバイスから発信されたリセット信号を受信しているか否かを判定し（ステップＳ１４０）、リセット信号を受信していないと判定した場合には、再び、ステップＳ１２０に戻り、上部ＬＥＤ５４ａ及び中央部ＬＥＤ５４ｂに所定量の電流を流し続け、状態を維持する。こうすることにより、リセット信号を受信するまで上方向を表示し続けることができる。
【００４０】
一方、ステップＳ１１０において、ＣＰＵ６１が上部点灯信号を受信していないと判定した場合、又は、ステップＳ１４０において、ＣＰＵ６１がリセット信号を受信したと判定した場合には、ＣＰＵ６１は、図示しない発信デバイスから発信された下部点灯信号を受信しているか否かを判定し（ステップＳ１５０）、下部点灯信号を受信していると判定した場合には、複数のＬＥＤ５４のうち、第二溝部３４よりも下方に位置するＬＥＤ（以下、「下部ＬＥＤ５４ｃ」という）に所定量の電流を流すことで青色に点灯し（ステップＳ１６０）、中央部ＬＥＤ５０ｂに所定量の電流を流すことで青色に点灯する（ステップＳ１７０）。こうすることにより、拡散部４０の第一溝部３２よりも下方側を青色に点灯することができる。言い換えると、拡散部４０によって下方向を青色で表示することができる。
【００４１】
続いて、ＣＰＵ６１は、図示しない発信デバイスから発信されたリセット信号を受信しているか否かを判定し（ステップＳ１８０）、リセット信号を受信していないと判定した場合には、再び、ステップＳ１６０に戻り、下部ＬＥＤ５０ｃ及び中央部ＬＥＤ５０ｂに所定量の電流を流し続け、状態を維持する。こうすることにより、リセット信号を受信するまで下方向を表示し続けることができる。
【００４２】
一方、ステップＳ１５０において、ＣＰＵ６１が下部点灯信号を受信していないと判定した場合、又は、ステップＳ１８０において、ＣＰＵ６１が、リセット信号を受信したと判定した場合には、ＣＰＵ６１は、中央部ＬＥＤ５０ｂに所定量の電流を流すことで緑色に点灯し（ステップＳ１９０）、本ルーチンを終了する。このように、上部点灯信号及び下部点灯信号のいずれも受信していない状態では、上方向及び下方向のいずれも指し示さない状態を表示することができる。
【００４３】
以上詳述したように、本発光装置２０は、上部点灯状態で拡散部４０の第二溝部３４より上側を赤色で表示し、下部点灯状態で拡散部４０の第一溝部３２よりも下側を青色に点灯し、いずれの状態でも無い場合には、拡散部４０の第一溝部３２よりも下側でかつ、第二溝部３４より上側を緑色に点灯することで、拡散部４０を３つの状態で表現することができる。
【００４４】
次に、第二の実施の形態の発光装置１２０について、図５を用いて説明する。図５は、第二の実施の形態の発光装置１２０の構成の概略を示す斜視図であり、第二の発光装置１２０は、第一の実施の形態の発光装置１２０の光源部５０が、第一溝部３２よりも上方に設けられた表面実装型の赤色の平面発光型ＬＥＤ１５４ａ（以下、「上部ＬＥＤ１５４ａ」と言う。）と、第一溝部３２と第二溝部３４との間に設けられた外部制御により発光する色の変更が可能な表面実装型の平面発光型ＬＥＤ１５４ｂ（以下、「ＬＥＤ中央部１５４ｂ」と言う。）と、第二溝部３４よりも下方に設けられた表面実装型の青色の平面発光型ＬＥＤ１５４ｃ（以下、「下部ＬＥＤ１５４ｃ」と言う。）と、が基板５２に所定の間隔でそれぞれ複数設けられている点が第一の実施の形態の発光装置２０と異なる。なお、その他の点は、第一の実施の形態の発光装置２０と同様であるため、ここでは説明を省略する。
【００４５】
次に、第二の実施の形態における発光装置１２０において、上部ＬＥＤ１５４ａ、中央部ＬＥＤ１５４ｂ及び下部ＬＥＤ１５４ｃを制御するＬＥＤ制御処理について、図６を用いて説明する。ここで、図６は、ＬＥＤ制御処理ルーチンの一例を示すフローチャートである。この光ＬＥＤ御処理ルーチンは、制御ユニット６０（図３参照）に電力が供給されると、ＣＰＵ６１によってＲＯＭ６２より読み出され、繰り返し実行される。
【００４６】
このＬＥＤ制御処理ルーチンが実行されると、ＣＰＵ６１は、図示しない発信デバイスから発信された上部点灯信号を受信しているか否かを判定し（ステップＳ２１０）、上部点灯信号を受信していると判定した場合には、上部ＬＥＤ１５４ａに電力を供給し（ステップＳ２２０）、中央部ＬＥＤ１５４ｂから出射する光の色を赤色に制御する（ステップＳ２３０）。具体的には、中央部ＬＥＤ１５４ｂに供給される電流量を調整し、中央部ＬＥＤ１５４ｂから出射する光の色が赤色となるように電流量を調整する。こうすることにより、拡散部４０の第二溝部３４よりも上方側を赤色に点灯することができる。言い換えると、拡散部４０によって上方向を赤色で表示することができる。
【００４７】
続いて、ＣＰＵ６１は、図示しない発信デバイスから発信されたリセット信号を受信しているか否かを判定し（ステップＳ２４０）、リセット信号を受信していないと判定した場合には、再び、ステップＳ２２０に戻り、上部ＬＥＤ１５４ａ及び中央部ＬＥＤ１５４ｂに所定量の電流を流し続け、状態を維持する。こうすることにより、リセット信号を受信するまで上方向を表示し続けることができる。
【００４８】
一方、ステップＳ２１０において、ＣＰＵ６１が上部点灯信号を受信していないと判定した場合、又は、ステップＳ２４０において、ＣＰＵ６１がリセット信号を受信したと判定した場合には、ＣＰＵ６１は、下部点灯信号を受信しているか否かを判定し（ステップＳ２５０）、下部点灯信号を受信していると判定した場合には、下部ＬＥＤ１５４ｃに電力を供給し（ステップＳ２６０）、中央部ＬＥＤ１５４ｂから出射する光の色を青色に制御する（ステップＳ２７０）。具体的には、中央部ＬＥＤ１５４ｂに供給される電流量を調整し、中央部ＬＥＤ１５４ｂから出射する光の色が青色となるように電流量を調整する。こうすることにより、拡散部４０の第一溝部３２よりも下方側を青色に点灯することができる。言い換えると、拡散部４０によって下方向を青色で表示することができる。
【００４９】
続いて、ＣＰＵ６１は、図示しない発信デバイスから発信されたリセット信号を受信しているか否かを判定し（ステップＳ２８０）、リセット信号を受信していないと判定した場合には、再び、ステップＳ２６０に戻り、下部ＬＥＤ１５４ｃ及び中央部ＬＥＤ１５４ｂに所定量の電流を流し続け、状態を維持する。こうすることにより、リセット信号を受信するまで下方向を表示し続けることができる。
【００５０】
一方、ステップＳ２５０において、ＣＰＵ６１が下部点灯信号を受信していないと判定した場合、又は、ステップＳ２８０において、ＣＰＵ６１が、リセット信号を受信したと判定した場合には、ＣＰＵ６１は、中央部ＬＥＤ１５４ｂに所定量の電流を流すことで緑色に点灯し（ステップＳ３９０）、本ルーチンを終了する。このように、上部点灯信号及び下部点灯信号のいずれも受信していない状態では、上方向及び下方向のいずれも指し示さない状態を表示することができる。
【００５１】
以上のように、拡散部４０が光る形状と光る色とによって、上方、下方及びいずれでも無い状態の三種類を表示することができる。
【００５２】
次に、第三の実施の形態の発光装置２２０について、図７を用いて説明する。図７は、第三の実施の形態の発光装置２２０の概略を示す斜視図であり、第一の実施の形態の発光装置２０との違いは、光源部５０に代えて、第一光源部１５０ａ及び第二光源部１５０ｂが導光板３０の一方側面側と他方側面側とにそれぞれ設けられている点である。なお、そのほかの点は第一の実施の形態の発光装置２０と同様であるため、ここでは説明を省略する。
【００５３】
第三の実施の形態において、第一光源部１５０ａは、導光板３０の一方側面側であって、第二溝部３４よりも上方側に設けられている。この第一光源部１５０ａは、基板１５２と、この基板１５２に所定の間隔で実装された複数の表面実装型の赤色の平面発光型ＬＥＤ１５４（以下、「ＬＥＤ１５４ａ」と言う。）と、断面が略Ｕ字形状のＣ型鋼１５６からなり、Ｃ型鋼１５６の凹部の底面に基板１５２が両面テープ等で貼着されている。このため、ＬＥＤ１５４ａが使用により発熱した場合であっても、基板１５２を介してＣ型鋼１５６に熱が伝わり、高温による誤作動や破損の可能性を未然に低減することができる。また、Ｃ型鋼１５６の凹部の幅は導光板３０の厚さと略同一又は、やや広く形成されているため、Ｃ型鋼１５６の凹部に導光板３０の側面を嵌め込むことにより、容易に光源部１５０ａを導光板１３０に対して所望の位置に取り付けることができる。
【００５４】
第三の実施の形態において、第二光源部１５０ｂは、導光板３０の他方側面側であって、第一溝部３２よりも下方側に設けられている。この第二光源部１５０ｂは、基板１５２と、この基板１５２に所定の間隔で実装された複数の表面実装型の青色の平面発光型ＬＥＤ１５４（以下、「ＬＥＤ１５４ｂ」と言う。）と、断面が略Ｕ字形状のＣ型鋼１５６からなり、Ｃ型鋼１５６の凹部の底面に基板１５２が両面テープ等で貼着されている。なお、ＬＥＤ１５４ｂ以外の構成は第一光源部１５０ａと同様であるため、ここでは説明を省略する。
【００５５】
次に、この発光装置２２０において、第一光源部１５０ａ及び第二光源部１５０ｂの点灯及び消灯を制御する点灯制御処理について、図８を用いて詳しく説明する。ここで図８は、点灯制御処理ルーチンの一例を示すフローチャートである。この点灯制御処理ルーチンは、制御ユニット６０（図３参照）に電力が供給されると、ＣＰＵ６１によってＲＯＭ６２より読み出され、繰り返し実行される。
【００５６】
この点灯制御処理ルーチンが実行されると、ＣＰＵ６１は、図示しない発信デバイスから発信された上部点灯信号を受信しているか否かを判定し（ステップＳ３１０）、上部点灯信を受信していると判定した場合には、第一光源部１５０ａに給電し（ステップＳ３２０）、第一光源部１５０ａを点灯させる。こうすることにより、拡散部４０の第二溝部３４より上方側を赤色で光らせることができる。
【００５７】
続いて、ＣＰＵ６１は、図示しない発信デバイスから発信されたリセット信号を受信したか否かを判定し（ステップＳ３３０）、リセット信号を受信したと判定しなかった場合には、ステップＳ３２０を再度実行する。言い換えると、リセット信号を受信するまで第一光源部１５０ａに給電を続ける。こうすることにより、拡散部４０の第二溝部３４より上方側を赤色で光らせ続けることができる。
【００５８】
一方、ステップＳ３１０でＣＰＵ６１が上部点灯信号を受信しないと判定した場合、及び、ステップＳ３３０でリセット信号を受信したと判定した場合には、ＣＰＵ６１は、下部点灯信号を受信したか否かを判定し（ステップＳ３４０）、下部点灯信号を受信していると判定した場合には、第二光源部１５０ｂに給電し（ステップＳ３５０）、第二光源部１５０ｂを点灯させる。こうすることにより、拡散部４０の第一溝部３２より下方側を青色で光らせることができる。言い換えると、拡散部４０によって下方向を青色で表示することができる。
【００５９】
続いて、ＣＰＵ６１は、図示しない発信デバイスから発信されたリセット信号を受信したか否かを判定し（ステップＳ３６０）、リセット信号を受信したと判定しなかった場合には、ステップＳ３５０を再度実行する。言い換えると、リセット信号を受信するまで第二光源部１５０ｂに給電を続ける。こうすることにより、拡散部４０の第一溝部３２よりも下方側を青色で光らせ続けることができる。
【００６０】
一方、ステップＳ３４０において、ＣＰＵ６１が下部点灯信号を受信していないと判定した場合、又は、ステップＳ３６０において、ＣＰＵ６１が、リセット信号を受信したと判定した場合には、本ルーチンは終了する。このように、第一光源部１５０ａ及び第二光源部１５０ｂのいずれにも電力を供給しないことで、上方向及び下方向のいずれも示さない状態を表示することができる。
【００６１】
以上のように、拡散部４０が光る形状と光る色とによって、上方、下方及びいずれでも無い状態の三種類を表示することができる。
【００６２】
以上詳述した発光装置２０によれば、光源部５０から光が照射された際、第一溝部３２及び第二溝部３４によって、第一溝部３２又は第二溝部３４を光が越える可能性が低減されるため、第一溝部３２及び第二溝部３４の上方又は下方で異なる色の光を光源部５０から出射した場合に、色が混ざる可能性を未然に低減し、優れた演出を表示することができる。このとき、制御ユニット６０によって上方点灯状態、下方点灯状態、中央点灯状態の３つの状態で光らせることができるため、発光装置２０をエレベータの矢印表示装置として使用した場合には、上昇中、下降中、停止中の３つの状態をそれぞれ示すことができる。
【００６３】
以上詳述した発光装置１２０によれば、光源部５０から光が照射された際、第一溝部３２及び第二溝部３４によって、第一溝部３２又は第二溝部３４を光が越える可能性が低減されるため、第一溝部３２及び第二溝部３４の上方又は下方で異なる色の光を光源部５０から出射した場合に、色が混ざる可能性を未然に低減し、優れた演出を表示することができる。このとき、制御ユニット６０によって上方点灯状態、下方点灯状態、中央点灯状態の３つの状態で光らせることができるため、発光装置１２０をエレベータの矢印表示として使用した場合には、上昇中、下降中、停止中の３つの状態をそれぞれ示すことができる。
【００６４】
以上詳述した発光装置２２０によれば、光源部１５０ａ及び１５０ｂから光が照射された際、第一溝部３２及び第二溝部３４によって、第一溝部３２又は第二溝部３４を光が越える可能性が低減されるため、第一光源部１５０ａから照射された光と第二光源部１５０ｂから照射された光とが混ざる可能性を低減することができる。このとき、制御ユニット６０によって、第一光源部１５０ａ及び第二光源部１５０ｂのいずれかを点灯させることにより、上方点灯状態と下方点灯状態とで拡散部４０を光らせることができるため、発光装置２２０をエレベータに使用した場合には、上昇中又は下降中の状態を示すことができる。
【００６５】
また、拡散部４０は、凹部の底側に粗面に加工されているため、凹部の底側が平坦面である場合と比較して、より光を拡散しやすい。
【００６６】
更に、拡散部４０は、輪郭溝４４によって囲まれているため、光源部５０から照射された光が拡散部４０の外縁で輪郭溝４４によって強く拡散されることになり、輪郭溝４４を有しない場合と比較して、拡散部４０の輪郭をより明確にすることができる。本実施の形態では、上方向か下方向かをより明確に表現することができる。
【００６７】
更にまた、拡散部４０の外周位置には複数の拡散ドット４２が設けられているため、拡散ドット４２を有しない場合と比較して、拡散部４０の形状をより明確にすることができる。特に、本実施の形態では、拡散ドット４２及び輪郭溝４４によって、拡散部の形状を明確に表現することができる。
【００６８】
そして、第一溝部３２及び第二溝部３４は、一方主面側から他方主面側まで貫通する切り込みであるため、導光板３０の中に照射された光が第一溝部３２又は第二溝部３４を越えて進む可能性を未然に低減することができる。
【００６９】
そしてまた、導光板３０の他方主面側には、ハーフミラー３６を有しているため、導光板３０の他方主面側に拡散された光を一方主面側に反射することができるため、一方主面側をより明るくすることができる。
【００７０】
そして更に、拡散部４０は上及び下を示す矢印系であるため、例えば、発光装置２０をエレベータの矢印表示装置として使用した場合には、上昇、下降及び停止を表示色を変えた状態で表示することができる。
【００７１】
なお、本発明は上述した実施の形態に何ら限定されることはなく、本発明の技術的範囲に属する限り種々の態様で実施し得ることはいうまでもない。
【００７２】
上述した実施の形態では、第一溝部３２及び第二溝部３４は非連続的に設けられるものとしたが、図９に示すように、第一溝部３２及び第二溝部３４が連続的に設けられるものとしてもよいし、第一溝部３２及び第二溝部３４の少なくともいずれか一方が連続的に設けられていてもよい。いずれの場合であっても、上述した実施の形態と同様の効果を得ることができる。
【００７３】
上述した実施の形態では、導光板３０は透過性を有するメタクリル樹脂製の板であるものとしたが、透過性を有する素材であればメタクリル樹脂製に限定されるものでなく、メチルメタクリレートやエチルメタクリレート等のメタクリル樹脂以外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果を得ることができる。また、導光板３０は、板状に限定されるものではなく、一部が湾曲した形状であっても良い。例えば、拡散部４０が突出するような形で湾曲させた場合には、側面側から視認した場合であっても、拡散部４０が視認しやすい。付言すると、例えば、エレベータの矢印表示装置として使用した場合に、上昇、下降等の状態を正面側からだけでなく、側面側からも視認しやすい。
【００７４】
上述した実施の形態では、拡散部４０は底面が粗面加工を施された凹部であるものとしたが、拡散部４０の凹部は粗面加工に限定されるものではなく、粗面加工に代えて、レーザー加工や超音波加工、切削加工等によって加工しても良い。いずれの場合であっても、上述した実施の形態と同様の効果を得ることができる。
【００７５】
上述した実施の形態では、拡散ドット４２を拡散部４０の外縁に設けるものとしたが、拡散部４０の全体に設けてもよい。また、拡散ドット４２に代えて、レーザー加工痕や超音波加工痕、切削加工痕等を設けてもよい。いずれの場合であっても、上述した実施の形態と同様の効果を得ることができる。
【００７６】
上述した実施の形態では、拡散ドット４２を拡散部４０の外縁に２列で設けるものとしたが、２列に限定されることなく、１列や３列で設けてもよい。拡散ドット４２外縁に３列設けることにより、より拡散部４０の外縁を明確にすることができる。また、例えば、拡散部４０の外縁のうち、光源部５０に対して外縁が斜めになっている部分のみ３列にする等、場所によって拡散ドット４２が配置される列の数を変えてもよい。こうすることにより、拡散部４０の外縁で拡散される光の強弱を演出することができる。
【００７７】
上述した実施の形態では、拡散ドット４２は、四角錐形状の凹部であり、拡散ドット４２の各辺の長さが約０．６ｍｍ、深さが約０．４ｍｍに形成されているものとしたが、これに限定されるものではなく、適宜好適なサイズを選択することができる。四角錐型の拡散ドット４２の各辺の長さは、例えば、０．２ｍｍ以上１．５ｍｍ以下で選択してもよい。また、四角錐型の拡散ドット４２の深さは、例えば、０．４ｍｍ以上０．８ｍｍ以下で選択してもよい。いずれの場合であっても、上述した実施の形態と同様の効果を得ることができる。
【００７８】
上述した実施の形態では、拡散ドット４２は四角錐形状の凹部であるものとしたが、拡散ドット４２として形成される拡散凹部の形状及び大きさは、特に限定するものではない。適宜様々な形状及び大きさの拡散凹部からなる拡散ドット４２を採用することができる。例えば、図１０Ｂは、円錐側の拡散凹部からなる拡散ドット４２を示している。図１０Ｃは、四角柱型の拡散凹部からなる拡散ドット４２を示している。図１０Ｄは、四角錐台形の拡散凹部からなる拡散ドット４２を示している。図１０Ｅは、半球型の拡散凹部からなる拡散ドット４２を示している。また作製方法としては、超音波加工、加熱加工、レーザー加工、切削加工等種々の加工方法を採用してもよいし、予め凹凸が刻まれた金型を用いて射出成形等の方法を用いてもよい。また、例えば、図１０Ｆに示すように、凸状の膨らんだ拡散凸部であってもよい。拡散凸部は、クリーン印刷やシルク印刷等によって、盛り上がるように（凸状）主面に形成する。また、それぞれの拡散ドット４２の大きさは、同じであっても異なっていても良い。例えば、後方側から上方側に向かって、四角錐型の拡散ドット４２の各辺を徐々に長くしたり、四角錐型の拡散ドット４２の深さを徐々に深くしたりしても良い。こうすれば、光源部５０から近く光が強い位置では拡散される光量が小さくなり、光源部５０から遠ざかるにつれて拡散される光量が大きくなるため、主面から照射される光の光量を均一に近づけることができる。
【００７９】
上述した実施の形態では、ＬＥＤ５４は、平面発光型の白色の発光ダイオードとしたが、平面発光型に限定されるものでなく、側面発光型、砲弾型等いずれのタイプであってもよい。いずれの場合であっても、上述した実施の形態と同様の効果が得ることができる。
【００８０】
上述した実施の形態では、輪郭溝４４はレーザー加工により加工されるものとしたが、超音波加工、加熱加工、レーザー加工、切削加工等種々の加工方法を採用してもよいし、予め凹凸が刻まれた金型を用いて射出成形等の方法を用いてもよい。いずれの場合も、上述した実施の形態と同様の効果が得られる。また、輪郭溝４４は拡散部４０の凹部及び拡散ドット４２よりも更に深く形成されているものとしたが、必ずしも深く形成される必要はなく、浅く形成しても良いし、拡散部４０の凹部よりも深く拡散ドット４２よりも浅く形成してもよい。いずれの場合であっても、上述した実施の形態と同様の効果が得ることができる。
【００８１】
上述した実施の形態では、輪郭溝４４は導光板３０の他方主面側に形成されるものとしたが、導光板３０の一方主面側に形成してもよい。こうすれば、拡散部４０と輪郭溝４４とで立体的な演出を行うことができ、より人目を引くことができる。また、輪郭溝４４は無くともよい。この場合であっても、上述した実施の形態と同様の効果を得ることができる。
【００８２】
上述した実施の形態では、導光板３０の裏面側にハーフミラー３６を配置するものとしたが、ハーフミラーに代えてミラーを配置しても良いし、表面を白色又は鏡面処理を施した板状部材を配置してもよい。いずれの場合であっても、導光板３０の他方主面側に出射した光を、導光板の一方主面側に導くことができる。また、ハーフミラー３６は無くともよい。この場合であっても、拡散部４０を複数の色で表現することができる。
【００８３】
上述した第一の実施の形態では、ステップＳ１９０で中央部ＬＥＤ５０ｂを緑色に点灯するものとしたが、中央部ＬＥＤ５０ｂを消灯してもよい。この場合であっても、中央部ＬＥＤ５０ｂが消灯していることで上方及び下方のいずれの方向も表示していないことを示すことができる。
【００８４】
上述した第二の実施の形態では、ステップＳ２９０で中央部ＬＥＤ５０ｂを緑色に点灯するものとしたが、中央部ＬＥＤ５０ｂを消灯してもよい。この場合であっても、中央部ＬＥＤ５０ｂが消灯していることで上方及び下方のいずれの方向も表示していないことを示すことができる。
【００８５】
上述した第三の実施の形態では、第一光源部１５０ａ及び第二光源部１５０ｂへの電流の供給を制御ユニット６０で制御するものとしたが、ＬＥＤ１５４ａ及びＬＥＤ１５４ｂへの電力の供給を制御ユニット６０で制御するものであってもよい。この場合であっても、上述した実施の形態と同様の効果を得ることができる。
【００８６】
上述した第三の実施の形態において、ＬＥＤ１５４ａのうち、第一溝部３２より下側に設けられたＬＥＤ１５４ａ（以下、「ＬＥＤ１５４ａｂ」と言う。）及びＬＥＤ１５４ｂのうち、第二溝部３４より上側に設けられたＬＥＤ１５４ｂ（以下、「ＬＥＤ１５４ｂａ」という。）を同時に点灯するステップを追加してもよい。こうすれば、拡散部４０の第一溝部３２と第二溝部３４との間をＬＥＤ１５４ａｂとＬＥＤ１５４ｂａとの光を混ぜ合わせて紫色で表現することができる。言い換えると、上部点灯状態と下部点灯状態に加え、上方向及び下方向のいずれも表示しない状態を示すことができる。また、ＬＥＤ１５４ａとＬＥＤ１５４ｂとを同時に点灯してもよい。こうすれば、拡散部４０の第一溝部２３より上の部分は赤色、第一溝部３２と第二溝部３４との間の部分は紫色、拡散部４０の第二溝部３４より下の部分は青色と、三色の色で更に別の状態を表現することができる。
【産業上の利用可能性】
【００８７】
上述した実施の形態で示すように、表示装置分野、特にエスカレータ等の矢印表示装置として利用することができる。
【符号の説明】
【００８８】
２０、１２０、２２０…発光装置、３０、１３０…導光板、３２…第一溝部、
３４…第二溝部、３６…ハーフミラー、４０…拡散部、４２…拡散ドット、
４４…輪郭溝、５０…光源部、５０ｂ…中央部ＬＥＤ、５０ｃ…下部ＬＥＤ、
５２、１５２…基板、５４、１５４、１５４ａ、１５４ａａ、１５４ａｂ…ＬＥＤ、
１５４ｂ、１５４ｂａ、１５４ｂｂ、１５４ｃ…ＬＥＤ、
５４ａ…上部ＬＥＤ、５４ｂ…中央部ＬＥＤ、５４ｃ…下部ＬＥＤ、
５６、１５６…Ｃ型鋼、６０…制御ユニット、６１…ＣＰＵ、６２…ＲＯＭ、
６４…ＲＡＭ、６６…インタフェース、６８…バス、１５０ａ…第一光源部、
１５０ｂ…第二光源部。
【図１】
2016031392.tif 000003
【図２】
2016031392.tif 000004
【図３】
2016031392.tif 000005
【図４】
2016031392.tif 000006
【図５】
2016031392.tif 000007
【図６】
2016031392.tif 000008
【図７】
2016031392.tif 000009
【図８】
2016031392.tif 000010
【図９】
2016031392.tif 000011
【図１０】
2016031392.tif 000012